(57)【要約】【課題】  硬貨専用の台間玉貸機に対して紙幣識別ユニットを設置するだけで簡単に千円台間玉貸機へのシステムアップを可能とする台間玉貸機を提供する。【解決手段】  複数の硬貨専用台間玉貸機１０と、各台間玉貸機１０に対して紙幣投入口１０１を備えた紙幣識別ユニット１００が接続される。硬貨専用台間玉貸機１０は、それぞれ硬貨回収用の搬送路３０を介して投入硬貨を回収するようになっており、硬貨投入口１、返却口２、玉払出し口３、玉供給ノズル４、金額等表示部５、および硬貨返却ボタン６を備えている。紙幣識別ユニット１００は、ケーブル１０２によって台間玉貸機１０と接続され、パチンコ台の横などに設置され、金額等の表示部１０３を備えている。【選択図】  図１
2005296393.tif 000002
【特許請求の範囲】
【請求項１】
パチンコ台とこれに隣接するパチンコ台との間に設置して使用される台間玉貸機において、
硬貨の投入に応じて貸玉を放出する玉払出手段と、
前記玉払出手段に対して外付けされ、紙幣の投入が可能な紙幣識別ユニットと、
を備えたことを特徴とする台間玉貸機。
【請求項２】
前記玉払出手段は、外付けされた前記紙幣識別ユニットの払出制御信号に基づいて貸玉を放出することを特徴とする請求項１記載の台間玉貸機。
【請求項３】
前記紙幣識別ユニットは、前記玉払出手段に対して前記払出制御信号を送信する送信手段と、紙幣収納庫とを有していることを特徴とする請求項２記載の台間玉貸機。
【請求項４】
紙幣識別ユニットへの投入金額に応じて、台間玉貸機から遊技者にパチンコ玉の払出しを行う玉払出制御方法において、
前記紙幣識別ユニットから前記台間玉貸機に監視パルスを送って、前記台間玉貸機の動作状態を監視する第１のステップと、
前記台間玉貸機でパチンコ玉の払出しが可能な状態であれば、前記紙幣識別ユニットから前記台間玉貸機に払出要求パルスを送って、玉払出しを指示する第２のステップと、
を備えたことを特徴とする玉払出制御方法。
【請求項５】
前記第２のステップでは、前記払出要求パルスの送出後に、前記紙幣識別ユニットから玉払出しの継続を指示する継続要求パルスを送り、前記投入金額に対応する玉払出終了時に前記継続要求パルスを停止することを特徴とする請求項４記載の玉払出制御方法。
【請求項６】
台間玉貸機に対して外付けされた紙幣識別ユニットの紙幣収納庫から収納紙幣を回収するための紙幣回収制御方法において、
前記紙幣識別ユニットに対して前記収納紙幣の抜取りを指示するとともに、前記紙幣収納庫のロックを解除する回収ステップと、
前記紙幣識別ユニットにおいて記録されている前記紙幣収納庫内の紙幣の収納枚数データを消去するクリアステップと、
を備えたことを特徴とする紙幣回収制御方法。
【請求項７】
前記回収ステップ、および前記クリアステップのそれぞれにおいて、前記紙幣収納庫内の紙幣の収納枚数を所定時間だけ表示するようにしたことを特徴とする請求項６記載の紙幣回収制御方法。
【発明の詳細な説明】
【技術分野】
【０００１】
本発明は、パチンコホール内で用いる台間玉貸機、玉貸機における玉払出制御方法、および玉貸機に投入された紙幣を回収するための紙幣回収制御方法に関し、とくに紙幣識別ユニットを外付けしてパチンコ玉の貸出しを行うようにした台間玉貸機、玉払出制御方法、および紙幣回収制御方法に関する。
【背景技術】
【０００２】
一般に、パチンコホールでは店舗内に並設されたパチンコ台の横に、千円紙幣の投入と引き換えに、千円紙幣の投入枚数に応じた金額に相当する個数のパチンコ玉を貸し出す遊技用玉貸機（千円台間玉貸機）が適宜、点在させて設置される。
【０００３】
図９は、従来の硬貨専用台間玉貸機と千円台間玉貸機とを組み合わせた台間玉貸機を示す構成図である。
硬貨専用台間玉貸機１０は、千円台間玉貸機２０のように紙幣識別処理手段（ビルバリ）を有していないなど、簡便に構成できるものであって、その正面上部の硬貨投入口１に投入された硬貨は、硬貨通路を経て電子式検銭ユニットへ案内され、その通過中に検銭センサによって投入硬貨の金種が識別されて金種信号が発生する。投入硬貨が真正であれば収金通路、硬貨回収用の搬送路３０を介して背面外側のパチンコ島内へ導入されて収納されるが、投入硬貨が偽貨のときは返却通路へ振り分けられて、正面下部の返却口２から排出されるようになっている。パチンコ玉は、上部の玉供給蛇腹パイプから玉計数ユニットへ導かれ、投入硬貨の金額に相当する玉数が玉払出し口３から遊技者に払い出され、あるいは玉供給ノズル４を使用してパチンコ台の玉受皿へ直接パチンコ玉を供給することができる。なお、硬貨投入口１の直下には金額等表示部５と硬貨返却ボタン６が設けられている（特許文献１参照）。
【０００４】
これに対して、千円台間玉貸機２０は、紙幣投入口７が硬貨投入口１の直上に設けられている点で、硬貨専用台間玉貸機１０とは異なる。そして、複数の千円台間玉貸機２０はそれぞれ共通の硬貨回収用の搬送路３０、および紙幣回収用の搬送路４０に接続されている。紙幣投入口７から投入された千円紙幣は、各玉貸機が備える鑑別部にて真贋判定した後、搬送路４０に設けられた紙幣回収装置の一時保留部に回収されるまで一時的に保留される。この紙幣回収装置では、千円紙幣を回収するためのループ状に形成したチェーンまたはベルトが回転可能に配置されており、このチェーンまたはベルトには、一時保留部に保留されている紙幣を回収する回収ユニットが所定の間隔で配置されている。この回収ユニットは、チェーンまたはベルトの回転により搬送され、一時保留部を通過するようになっている。回収ユニットは、一時保留部の通過時に、保留されている千円紙幣がある場合には、その千円紙幣を回収し、保留されている千円紙幣がない場合には、そのまま一時保留部を通過する。そして、回収ユニットが収納庫の手前まで搬送されると、紙幣回収装置は、回収ユニット中の千円紙幣の有無をセンサで認識し、千円紙幣を含んだ回収ユニットの通過回数を計数する。店舗内のホールコンピュータなどでは、この千円紙幣の通過回数、すなわち千円紙幣の収納庫への入金回数から店舗の売上金額を集計する。
【０００５】
従来、パチンコホールで台間玉貸機を配置する場合には、コスト優先であれば、紙幣識別機や紙幣の回収路（搬送路４０）等を除いて配置できる硬貨専用台間玉貸機１０が選択され、コストや紙幣搬送のための空間が許される場合には、千円紙幣を投入できる千円台間玉貸機２０を導入していた（特許文献２参照）。
【０００６】
すなわち、パチンコホールにおけるパチンコ台の設置状況に応じて、図９に示すように、硬貨専用台間玉貸機１０か、紙幣識別機を内蔵した千円台間玉貸機２０かのいずれかを選択して配置するようにしていた。また、千円台間玉貸機では紙幣識別機や紙幣回収装置、さらに紙幣搬送路４０等が必要になるため、それらを有しないコスト優先の硬貨専用台間玉貸機１０だけが配置されることもある。
【特許文献１】特開平８−２５７２２９号公報（段落番号〔０００３〕など）
【特許文献２】特開平６−２５１２３０号公報（段落番号〔０００１〕〜〔０００９〕）
【発明の開示】
【発明が解決しようとする課題】
【０００７】
ところが、最初に低コストの硬貨専用の台間玉貸機を導入した場合、その後、新たに千円台間玉貸機に置き換えようとしても、紙幣識別ユニットを設置するだけでは千円紙幣に対応することは容易でないという問題があった。また、パチンコホールにおけるパチンコ台の設置状況によっては、紙幣搬送路の設置ができない場合もあって、千円台間玉貸機の導入が容易ではないという問題があった。
【０００８】
本発明はこのような点に鑑みてなされたものであり、硬貨専用の台間玉貸機に対して紙幣識別ユニットを設置するだけで簡単に千円台間玉貸機へのシステムアップを可能とする台間玉貸機を提供することを目的とする。
【０００９】
また、硬貨専用の台間玉貸機の外部から、玉の払出し制御が可能な玉払出制御方法を提供することを目的とする。
さらに、紙幣搬送路の設置工事等を不要にして、簡単に紙幣対応システムへの変更が可能な紙幣回収制御方法を提供することを目的とする。
【課題を解決するための手段】
【００１０】
本発明では上記課題を解決するために、パチンコ台とこれに隣接するパチンコ台との間に設置して使用される台間玉貸機が提供される。
この台間玉貸機は、硬貨の投入に応じて貸玉を放出する玉払出手段と、前記玉払出手段に対して外付けされ、紙幣の投入が可能な紙幣識別ユニットと、を備えたことを特徴とする。
【００１１】
また、本発明の玉払出制御方法は、紙幣識別ユニットへの投入金額に応じて、台間玉貸機から遊技者にパチンコ玉の払出しを行うものであって、前記紙幣識別ユニットから前記台間玉貸機に監視パルスを送って、前記台間玉貸機の動作状態を監視する第１のステップと、前記台間玉貸機でパチンコ玉の払出しが可能な状態であれば、前記紙幣識別ユニットから前記台間玉貸機に払出要求パルスを送って、玉払出しを指示する第２のステップと、を備えたことを特徴とする。
【００１２】
さらに、本発明の紙幣回収制御方法は、台間玉貸機に対して外付けされた紙幣識別ユニットの紙幣収納庫から収納紙幣を回収するためのものであって、前記紙幣識別ユニットに対して前記収納紙幣の抜取りを指示するとともに、前記紙幣収納庫のロックを解除する回収ステップと、前記紙幣識別ユニットにおいて記録されている前記紙幣収納庫内の紙幣の収納枚数データを消去するクリアステップと、を備えたことを特徴とする。
【発明の効果】
【００１３】
本発明の台間玉貸機では、硬貨専用の台間玉貸機に外付けされた紙幣識別ユニットから玉の払出し制御が可能なインターフェイスを組込んで、このインターフェイスを利用して紙幣識別ユニットと組み合わせることにより、紙幣搬送路の設置工事等を不要とした紙幣対応システムが可能となる。
【００１４】
また、本発明の紙幣回収制御方法では、安価な硬貨専用の台間玉貸機と、外付けの紙幣収納庫付き紙幣識別ユニットの組合せにより、最初はコスト優先で硬貨専用の台間玉貸機を設置した場合でも、状況に応じて紙幣識別ユニットを後付けすることができ、したがって、紙幣搬送路が設置できないパチンコホールであっても、紙幣対応の玉の払出し制御を可能にしている。
【００１５】
さらに、本発明の玉払出制御方法では、硬貨専用の台間玉貸機において外部制御ユニットからの玉の払出し制御機能を利用できるようにしたので、紙幣識別ユニットを接続するだけではなく、いったん遊技者が獲得したパチンコ玉をパチンコホールに一時的に預け入れ、その後に再プレイできるといった付加サービスに利用することも可能になる。
【発明を実施するための最良の形態】
【００１６】
以下、この発明の実施の形態を、図面を参照して詳細に説明する。図１は、本発明にかかる千円台間玉貸機の構成を示す図である。
最初に、図１によって、硬貨専用台間玉貸機（以下では、単に台間玉貸機ともいう。）を複数用いて構成される台間玉貸機システムの概要を説明する。この台間玉貸機システムは、複数の硬貨専用台間玉貸機１０（図１には１台のみを示す。）と、各台間玉貸機１０に対して紙幣投入口１０１を備えた紙幣識別ユニット１００をそれぞれ接続して構成される。硬貨専用台間玉貸機１０は、それぞれ硬貨投入口１、返却口２、玉払出し口３、玉供給ノズル４、金額等表示部５、および硬貨返却ボタン６を備えており、硬貨回収用の搬送路３０を介して投入硬貨が回収できるように構成されている。また、複数の紙幣識別ユニット１００（図１には１台のみを示す。）は、金額等の表示部１０３を備えており、それぞれケーブル１０２によって台間玉貸機１０と接続され、各パチンコ台の横などに設置されている。
【００１７】
パチンコホールでは、遊技者が１００円（あるいは５００円）硬貨、または千円紙幣を硬貨投入口１または紙幣投入口１０１から投入すると、台間玉貸機１０の玉払出し口３からパチンコ玉の貸出しが行われる。投入された硬貨は、搬送路３０から回収され、投入された紙幣は紙幣識別ユニット１００内の収納庫に一時的に収納され、後述する手順で適宜に回収するようにしている。
【００１８】
このような硬貨専用台間玉貸機１０は、紙幣識別部を持たないために低コストで生産することができるから、紙幣識別ユニット１００を接続しない状態でパチンコ玉を貸し出すように構成すれば、パチンコホールにおける初期投資のコストを低減できる。しかも、この台間玉貸機システムは、その後に紙幣識別ユニット１００を設置するだけで千円紙幣に対応する千円台間玉貸機として機能することになるから、簡単にシステムアップが行えるものである。
【００１９】
つぎに、上述した台間玉貸機システムにおいて、硬貨専用台間玉貸機１０が外部の紙幣識別ユニット１００から玉払出しの制御を受付けるためのインターフェイス回路について説明する。
【００２０】
図２は、図１の玉貸機における外部払出し制御のためのインターフェイスの一例を示す回路図である。
台間玉貸機１０側では、応答信号出力用のアンプ１１と制御信号入力用のアンプ１２と抵抗Ｒ１とを備え、電源（＋２４Ｖ）を供給する電源ライン１０ａ、紙幣識別ユニット１００に応答信号を出力する出力ライン１０ｂ、紙幣識別ユニット１００から制御信号が入力される入力ライン１０ｃ、および基準電圧を構成するための接地ライン１０ｄが、それぞれ端子２０１〜２０４を備えた４極のコネクタ２００を介して外部の紙幣識別ユニット１００に接続されている。
【００２１】
紙幣識別ユニット１００側は、発光ダイオード１１１とフォトトランジスタ１１２からなる入力回路１１０と、フォトトランジスタ１２１と発光ダイオード１２２からなる出力回路１２０とを備えている。端子２０１は、紙幣識別ユニット１００側の抵抗Ｒ２を介して発光ダイオード１１１のアノードに接続され、発光ダイオード１１１のカソードは端子２０２に接続されている。また、端子２０３は、紙幣識別ユニット１００側の抵抗Ｒ３を介してフォトトランジスタ１２１のコレクタと接続され、フォトトランジスタ１２１のエミッタは端子２０４に接続されている。したがって、発光ダイオード１２２に所定値の電流信号が流れてフォトトランジスタ１２１がオンすると、紙幣識別ユニット１００側から４極のコネクタ２００を介して台間玉貸機１０側に制御信号が供給される。また、台間玉貸機１０側からアンプ１１が動作して応答信号が出力されると、入力回路１１０では発光ダイオード１１１に電流が流れ、フォトトランジスタ１１２がオンする。
【００２２】
図３は、図１の玉貸機における電源、および信号の接続状態を示す図である。同図（Ａ）には、紙幣識別ユニット１００を接続しない状態で台間玉貸機１０を使用する場合の接続状態を示している。また、同図（Ｂ）には、台間玉貸機１０と外部の紙幣識別ユニット１００との接続を示す。
【００２３】
ここでは、台間玉貸機１０は、図２に示す４極のコネクタ２００に対応するものとして６極のインターフェイス回路２１０を備えている。台間玉貸機システムとして、紙幣識別ユニット１００を用いないときは、図示しない電源部から電源供給用のインターフェイス回路４００を介して、２本の電源ライン４００ａ，４００ｂによって台間玉貸機１０に電源が供給される。また、ホールコンピュータなどとの間では、集計信号用のインターフェイス回路３００を介して別の２本の信号ライン３００ａ，３００ｂによって、台間玉貸機１０の集計信号が送信される。
【００２４】
これに対して、同図（Ｂ）のように、紙幣識別ユニット１００を外付けして台間玉貸機システムを構成するときは、紙幣識別ユニット１００の２極のコネクタ１３０と信号ライン１００ａ、１００ｂとが接続され、さらに４極のコネクタ１４０と電源ライン１００ｃ，１００ｆ、および信号ライン１００ｄ，１００ｅとが接続される。
【００２５】
このように、紙幣識別ユニット１００を接続しないで、硬貨専用台間玉貸機１０として用いている場合には、４本のライン３００ａ，３００ｂ，４００ａ，４００ｂと、インターフェイス回路３００，４００のみがコスト要因となるだけである。したがって、硬貨専用台間玉貸機１０によれば、台間玉貸機システム全体から見ればコストアップ要因を小さくできるから、引き続き低コストの台間玉貸機を提供できる。
【００２６】
図４は、図１の玉貸機に接続される紙幣識別ユニットの構成例を示す図である。
この紙幣識別ユニット１００は、収納庫付き紙幣識別機１５０と制御部１６０から構成されている。制御部１６０には、紙幣入金と玉払出しに関わる表示部１６１が設けられている。すなわち、表示部１６１では紙幣識別ユニット１００が玉貸出中か否かを示すランプ１６２，１６３、および投入金額、貸出数量などを示すデータ表示パネル１６４を備えている。なお、収納庫付き紙幣識別機１５０は一般的なものであって、紙幣識別ユニットの制御部１６０により紙幣入金収納制御が行われ、入金紙幣を受付けることで硬貨専用台間玉貸機１０の払出し制御機能を用いて紙幣による玉の貸出しを行うように構成される。
【００２７】
また、紙幣識別ユニット１００には、台間玉貸機１０とともに、ホールコンピュータ３１０、電源部４１０、および外部制御ユニット５００が接続されている。外部制御ユニット５００は、紙幣識別ユニット１００との間でビルバリ制御信号の授受を行っており、電源部４１０は、紙幣識別ユニット１００と台間玉貸機１０に電源供給を行っている。
【００２８】
さらに、紙幣識別ユニット１００と台間玉貸機１０との間では、上述した各種の払出制御信号の授受が行われるほか、制御部１６０での入金処理に伴うホールコンピュータ３１０への集計データについては、硬貨専用台間玉貸機１０からの硬貨分データ（集計信号Ａ）をいったん制御部１６０において受け取り、別に集計される紙幣分データの集計結果と重複しないように、集計信号Ａと１本化された集計信号Ｂをホールコンピュータ３１０に出力している。
【００２９】
以上に説明した通り、本発明による台間玉貸機は、パチンコ台とこれに隣接するパチンコ台との間に設置して使用される硬貨専用台間玉貸機１０に、紙幣の投入が可能な紙幣識別ユニット１００を外付けした構成であって、台間玉貸機１０が、紙幣識別ユニット１００への紙幣の投入と、硬貨の投入のそれぞれに応じて貸玉を放出する玉払出手段として機能するから、千円台間玉貸機へのシステムアップが可能である。
【００３０】
なお、外付けされた紙幣識別ユニット１００の払出制御信号に基づいて、台間玉貸機１０に対する玉の払出し制御が可能なインターフェイスを構成できるから、最初はコスト優先で硬貨専用台間玉貸機１０だけを設置した場合でも、状況に応じて簡単に紙幣識別ユニット１００を後付けすることができる。また、紙幣識別ユニット１００では、玉払出手段に対して払出制御信号を送信する送信手段と、紙幣収納庫とを有していることから、台間玉貸機１０に対して新たな紙幣搬送路などの設置が必要ない。
【００３１】
つぎに、台間玉貸機１０と紙幣識別ユニット１００との間で実行される玉払出し制御について説明する。
図５は、図４の紙幣識別ユニットと玉貸機との間で実行される外部払出し制御の各種シーケンスを示すタイミング図である。この発明の玉払出し制御では、紙幣識別ユニット１００がホスト（親）となり、台間玉貸機１０がその制御を受付ける側（子）となって、上述した各インターフェイス回路を通して制御信号の授受が行われる。その制御手順は、図５（Ａ）の状態監視シーケンスと、図５（Ｂ）の払出要求シーケンスと、図５（Ｃ）の払出制御シーケンスの３つに区分される。以下、それぞれの制御シーケンスにおける制御信号の詳細について説明する。
【００３２】
（Ａ）状態監視シーケンス
紙幣識別ユニット１００側から台間玉貸機１０の状態を監視するため、紙幣識別ユニット１００から状態監視パルスＰａを台間玉貸機１０に対して送出する。この状態監視パルスＰａを受けた台間玉貸機１０側では、玉払出しが可能な状態かどうかに応じて正常応答パルスＰｘを紙幣識別ユニット１００側に返送する。すなわち、玉払出し要求が受付け可能であれば、状態監視パルスＰａ１に対して同じタイミング（ｔ１）の正常応答パルスＰｘ１を返す。しかし、台間玉貸機１０で玉切れであったり、投入硬貨による玉貸出し中であったりする場合には、紙幣識別ユニット１００側からの払出し要求を受付けることができない。そのような場合の状態監視パルスＰａ２に対しては、正常応答パルスＰｘ２を返すことなく、無応答とする。
【００３３】
このような状態監視シーケンスを実行することによって、紙幣識別ユニット１００側では玉の貸出しが可能かどうかを判断できる。したがって、貸出し可能な時には紙幣識別ユニット１００側の貸出中表示のランプ１６２を点灯するとともに、紙幣受付け可能な状態とする。反対に、台間玉貸機１０側から状態監視パルスＰａに対する正常応答パルスＰｘが得られない場合には、玉の貸出しができないと判断して、貸出の中止表示のランプ１６３を点灯するとともに、紙幣受付けを禁止状態とする。
【００３４】
ここでは、状態監視パルスＰａ１，Ｐａ２の間隔は、パルス幅ｔ１に対してｔ１×６パルス分としている。
（Ｂ）払出要求シーケンス
台間玉貸機１０側で玉払出しが可能な時に、紙幣識別ユニット１００側で紙幣の受付けを行うと、状態監視シーケンスからつぎに説明するような払出要求シーケンスに切り替わる。すなわち、紙幣識別ユニット１００側からは、状態監視パルスＰａ１，Ｐａ２，…に引き続いて払出要求パルスＰｂ１，Ｐｂ２，…を出力する。
【００３５】
台間玉貸機１０側では、紙幣識別ユニット１００側（外部）からの払出し要求を受付けて、直ちに玉の払出しが可能な場合、状態監視パルスＰａと払出要求パルスＰｂのそれぞれに対して応答を返すとともに、規定の正数だけ玉の払出しを行う。
【００３６】
通常、台間玉貸機１０側では払出要求パルスＰｂが受信されたと判定したとき、台間玉貸機１０自体での硬貨の入金禁止処理などを行って、玉の払出しが重複しないように対処する必要がある。したがって、台間玉貸機１０で外部からの払出し要求に対して実際に払出しが開始されるまでには、多少の時間が必要となる。また、払出要求パルスＰｂが受付けられる直前に、台間玉貸機１０に硬貨が投入され、硬貨による玉貸出しが開始されている場合もある。そのため、台間玉貸機１０からは状態監視パルスＰａ１のみに正常応答パルスＰｘ１を送出し、その直後の払出要求パルスＰｂ１に対しては払出開始パルスＰｙ１を送出しない。そして、玉払出しが可能な状態（Ｒｅａｄｙ状態）になって、払出要求パルスＰｂ２に対して払出開始パルスＰｙ２を送出するまでは、紙幣識別ユニット１００側に対して無応答を続ける。
【００３７】
紙幣識別ユニット１００側では、状態監視パルスＰａに対する最初の正常応答パルスＰｘを受付け、つぎの払出要求パルスＰｂに対する応答（払出開始パルスＰｙ）を受付けられない間は、台間玉貸機１０側で何らかの処理中であると判断して、払出要求パルスＰｂに対する払出開始パルスＰｙを受け取るまで、払出要求シーケンスを繰り返す。しかし、この間に状態監視パルスＰａに対する正常応答パルスＰｘか受けられなくなった場合は、台間玉貸機１０側で何らかの異常が発生したとして異常表示とするとともに、払出要求シーケンスを終了する。
【００３８】
（Ｃ）払出制御シーケンス
紙幣識別ユニット１００側では、払出要求パルスＰｂに対する払出開始パルスＰｙの応答があったとき、要求した玉払出しに対応する実際の玉払出しが完了したと判断する。なお、台間玉貸機１０側では、受け取った払出要求パルスＰｂに対応して払出す玉数として、通常のパチンコ玉の払出し機構に合わせて５個に設定されている。たとえば、実際には１０００円で２５０個の玉貸出しを行うものとすると、ここでは紙幣識別ユニット１００側と５０回の払出要求パルスＰｂのやり取りが必要となる。
【００３９】
このような５個単位で玉の払出しを行う場合には、台間玉貸機１０側で払出要求パルスＰｂを受け取る都度、払出し機構に対する玉貸出し処理の開始と終了を繰り返す必要があって、玉払出しの効率が悪くなってしまう。しかも、紙幣識別ユニット１００側から出力される払出要求パルスＰｂと、その払出開始パルスＰｙによる応答が、実際に台間玉貸機１０側で玉を払い出す機構的なタイミングとは簡単に同期しないことから、無駄に玉払出しが可能な状態（Ｂｕｓｙ状態）が続くことになる。
【００４０】
そこで、以下の払出制御シーケンスを設けることで、台間玉貸機１０側での玉払出し動作がスムーズとなるようにした。
この払出制御シーケンスでは、払出要求パルスＰｂ１に対して最初に台間玉貸機１０側から払出開始パルスＰｙ１を受けたとき、引き続き玉の貸出しを要求することを台間玉貸機１０側に通知するため、紙幣識別ユニット１００側では払出要求パルスＰｂ１の直後に継続要求パルスＰｃ１を出力している。
【００４１】
継続要求パルスＰｃ１を受けた台間玉貸機１０側では、払出開始パルスＰｙ１による１回の払出し処理を行い、それに続いて別の払出要求パルスＰｂ２が送出されるものとして、払出継続パルスＰｚ１を紙幣識別ユニット１００側に返送するとともに、パチンコ玉の払出し制御をそのまま継続する。紙幣識別ユニット１００側では１回の払出要求パルスＰｂの送出に基づいて、玉貸出し総数を記憶しているカウンタから「５」を減算し、カウンタの残数が「０」になるまで、パチンコ玉の払出し制御を繰り返すことになる。
【００４２】
玉貸出し総数のカウンタの残数が０となったときは、つぎの払出開始パルスＰｙが発生しなくなるため、紙幣識別ユニット１００側からの継続要求パルスＰｃが出されない。したがって、台間玉貸機１０側では継続要求パルスＰｃ２がなくなるタイミングで、払出し終了となって、払出制御シーケンスを終了する。
【００４３】
なお、台間玉貸機１０側で継続要求パルスＰｃを受け取った後に、実際にその要求に対する玉の払出しを行うまでに、払出要求パルスＰｂが引き続き紙幣識別ユニット１００側から通知されないときは、払出し処理中の紙幣識別ユニット１００の異常として処理する。また、紙幣識別ユニット１００では、払出要求パルスＰｂに対する払出開始パルスＰｙがあったとき、その直後の状態監視パルスＰａに対する正常応答パルスＰｘが送信されなければ、台間玉貸機１０側で払出しにともなって何らかの払出し異常が発生したものとして処理する。さらに、台間玉貸機１０側では払出要求パルスＰｂが受信されなくなることにより、硬貨の入金禁止解除処理を行って、硬貨専用台間玉貸機１０として通常動作に復帰する。
【００４４】
図６は、図４の紙幣識別ユニットで実行される玉払出しの制御手順を示すフローチャートである。ここでは、紙幣識別ユニット１００による台間玉貸機１０の制御手順を、図５の３つに区分した制御シーケンスに従って説明する。
【００４５】
紙幣識別ユニット１００では、常に状態監視パルスＰａを出力している。すなわち、ステップＳ１〜Ｓ４の状態監視シーケンスでは、ステップＳ１で台間玉貸機１０からの正常応答パルスＰｘ２の有無に応じて、玉払出し可否を確認している。ここで、玉払出しが可能であると判断された時にはステップＳ２に進み、玉貸出中の表示を行うとともに、紙幣識別ユニット１００において紙幣の受付けが可能な状態に切り替えられ、さらにステップＳ４に進み、紙幣の入金状態を確認する。また、ステップＳ１で状態監視パルスＰａに対して無応答であると判断した場合には、ステップＳ３に進んで、紙幣投入中止表示を行って、紙幣入金が禁止されることによって、玉貸出しが停止される。
【００４６】
ステップＳ５とＳ６は、図５（Ｂ）の払出要求シーケンスに対応するステップである。ここでは、台間玉貸機１０側で払出し動作可能な状態のときに、紙幣識別ユニット１００側で紙幣の受付けを行うと、ステップＳ４からステップＳ５に進んで、金額等の表示部１０３に入金額が表示される。このとき、紙幣識別ユニット１００から台間玉貸機１０側に払出要求パルスＰｂが出力される。これにより、台間玉貸機１０側に対して玉の貸出し要求がなされるとともに、台間玉貸機１０側での硬貨入金が停止される。その後、ステップＳ６に進んで、台間玉貸機１０側から紙幣識別ユニット１００に対して払出開始パルスＰｙの応答があれば、紙幣識別ユニット１００から台間玉貸機１０側に継続要求パルスＰｃが送られることにより払出制御シーケンスに進み、台間玉貸機１０に対する玉の貸出しが指示される。
【００４７】
払出制御シーケンスでは、ステップＳ７で紙幣識別ユニット１００に対して継続要求パルスＰｃに対応する払出継続パルスＰｚの応答の有無が検出され、応答があった場合にはステップＳ８に進む。紙幣識別ユニット１００では、台間玉貸機１０側に千円分の玉貸出しを指示する継続要求パルスＰｃを発生するが、継続要求パルスＰｃに応答する払出継続パルスＰｚがなくなると、再びステップＳ１に戻って状態監視シーケンスを実行することになる。
【００４８】
以上のようなパルスのやり取りによって、紙幣識別ユニット１００側と台間玉貸機１０側では、玉払出し機構における時間的な処理の遅れが吸収され、スムーズな玉払出し制御が実行される。
【００４９】
このように、紙幣識別ユニット１００への投入金額に応じて、台間玉貸機１０から遊技者にパチンコ玉の払出しを行う玉払出制御方法では、第１に、紙幣識別ユニット１００から台間玉貸機１０に状態監視パルスＰａを送って、台間玉貸機１０の動作状態を監視する。第２に、台間玉貸機１０でパチンコ玉の払出しが可能な状態であれば、紙幣識別ユニット１００から台間玉貸機１０に払出要求パルスＰｂを送って、玉払出しを指示するようにしている。また、払出要求パルスＰｂを送出した後、紙幣識別ユニット１００から玉払出しの継続を指示する継続要求パルスＰｃを送り、投入金額に対応する玉払出終了時に継続要求パルスＰｃを停止することで、台間玉貸機１０側の玉払出し機構における時間的な処理の遅れがあっても、確実に玉払出し制御を実行できる。
【００５０】
図７は、図４の紙幣識別ユニットに接続される外部制御ユニットの構成例を示す図である。
外部制御ユニット５００は、２つの接点５０１，５０２を備え、紙幣識別ユニット１００との間でビルバリ制御信号を授受するために、各接点５０１，５０２が１対の信号線５００ａ，５００ｂを介して接続されている。ここでは、１台の紙幣識別ユニット１００だけを示しているが、この外部制御ユニット５００は複数の紙幣ユニットとの間で、同様に接続されて用いられるものである。
【００５１】
外部制御ユニット５００の接点５０１は、それが回収側に切り替えられたとき＋２４Ｖに接続され、クリヤ側に切り替えられたとき接地（ＧＮＤ）される。また、接点５０２は、それが回収側に切り替えられたとき接地（ＧＮＤ）され、クリヤ側に切り替えられたとき＋２４Ｖに接続される。
【００５２】
紙幣識別ユニット１００側は、発光ダイオード１７１とフォトトランジスタ１７２からなるクリヤ指示回路１７０と、発光ダイオード１８１とフォトトランジスタ１８２からなる回収指示回路１８０とを備えている。信号線５００ａは、紙幣識別ユニット１００側の接点５０１を発光ダイオード１７１のカソードと、発光ダイオード１８１のアノードに接続するように設けられ、信号線５００ｂは、紙幣識別ユニット１００側の接点５０２を発光ダイオード１７１のアノードと、発光ダイオード１８１のカソードに接続するように設けられている。したがって、外部制御ユニット５００側で接点５０１，５０２が回収側に切り替えられると、クリヤ指示回路１８０の発光ダイオード１８１に所定値の電流信号が流れてフォトトランジスタ１８２がオンする。これにより、紙幣識別ユニット１００の紙幣収納庫のロックが解除される。また、外部制御ユニット５００側で接点５０１，５０２がクリヤ側に切り替えられると、クリヤ指示回路１７０の発光ダイオード１７１に所定値の電流信号が流れてフォトトランジスタ１７２がオンする。これにより、紙幣識別ユニット１００で記録されている紙幣の収納枚数データを消去する。
【００５３】
このように、外部制御ユニット５００では１対の信号線５００ａ，５００ｂにおける電圧の有無、極性を切り替えることによって、「回収」、および「クリヤ」という２つの動作指示のための制御信号を、紙幣識別ユニット１００に対して送信可能になる。
【００５４】
図８は、図４の紙幣識別ユニットにおける外部からの紙幣回収制御手順を示すフローチャートである。
このフローチャートは、外部制御ユニット５００からの制御信号として、「回収」または「クリヤ」の動作指示を受け取った紙幣識別ユニット１００の処理の流れを示している。
【００５５】
紙幣識別ユニット１００は、ステップＳ１１で「回収指示」を受けた場合、ステップＳ１２に進んで収納紙幣の有無を判断する。紙幣識別ユニット１００の紙幣収納庫に紙幣が収納されている場合、ステップＳ１３で紙幣収納庫の扉のロックを解除する。これによって、パチンコホール従業員による紙幣の抜取り回収を容易にしている。また、ステップＳ１４に進んで「クリヤ指示」を受付けた場合には、ステップＳ１５に進んで紙幣識別ユニット１００で記録されている紙幣の収納枚数データを消去する。
【００５６】
ステップＳ１６は、紙幣識別ユニット１００の金額等の表示部１０３で紙幣収納枚数を表示するステップである。この表示動作では、その時点の紙幣収納枚数を表示するように制御され、ステップＳ１７で設定されている表示時間が経過したとき、ステップＳ１８に進んで終了する。したがって、上述したような紙幣の抜取り回収の際に、複数ある紙幣識別ユニット１００のうち、いずれのものに紙幣が残留しているかを目視しやすくなる。なお、このような表示動作の継続時間は、紙幣収納庫の扉を閉じた時点から、あるいは扉開状態のときに「クリヤ指示」を受付けた時点から計測して、規定時間が経過した時点で表示を終了するようにしている。
【００５７】
このように、台間玉貸機１０に対して外付けされた紙幣識別ユニット１００の紙幣収納庫から収納紙幣を回収するための紙幣回収制御方法は、紙幣識別ユニット１００に対して収納紙幣の抜取りを指示するとともに、紙幣収納庫のロックを解除する回収ステップと、紙幣識別ユニット１００において記録されている紙幣収納庫内の紙幣の収納枚数データを消去するクリアステップとを備えているので、紙幣搬送路が設置できないパチンコホールであっても、紙幣搬送路を設置しないままで簡単に紙幣対応システムへ変更でき、紙幣対応の玉の払出し制御が容易に行える。
【００５８】
また、これらの回収ステップ、クリアステップのそれぞれにおいて、紙幣収納庫内の紙幣収納枚数を所定時間だけ表示するようにしたことによって、紙幣回収作業を容易に行える。
【図面の簡単な説明】
【００５９】
【図１】本発明にかかる千円台間玉貸機の構成を示す図である。
【図２】図１の玉貸機における外部払出し制御のためのインターフェイスの一例を示す回路図である。
【図３】図１の玉貸機における電源、および信号の接続状態を示す図である。
【図４】図１の玉貸機に接続される紙幣識別ユニットの構成例を示す図である。
【図５】図４の紙幣識別ユニットと玉貸機との間で実行される外部払出し制御の各種シーケンスを示すタイミング図である。
【図６】図４の紙幣識別ユニットで実行される玉払出しの制御手順を示すフローチャートである。
【図７】図４の紙幣識別ユニットに接続される外部制御ユニットの構成例を示す図である。
【図８】図４の紙幣識別ユニットにおける外部からの紙幣回収制御手順を示すフローチャートである。
【図９】従来の硬貨専用台間玉貸機と千円台間玉貸機とを組み合わせた台間玉貸機を示す構成図である。
【符号の説明】
【００６０】
１  硬貨投入口
２  返却口
３  玉払出し口
４  玉供給ノズル
５  金額等表示部
６  硬貨返却ボタン
１０  硬貨専用台間玉貸機
１００  紙幣識別ユニット
１０１  紙幣投入口
１０２  ケーブル
１０３  金額等の表示部
２００  コネクタ
３００ａ，３００ｂ  信号ライン
４００ａ，４００ｂ  電源ライン
３００，４００  インターフェイス回路
５００  外部制御ユニット
【図１】
2005296393.tif 000003
【図２】
2005296393.tif 000004
【図３】
2005296393.tif 000005
【図４】
2005296393.tif 000006
【図５】
2005296393.tif 000007
【図６】
2005296393.tif 000008
【図７】
2005296393.tif 000009
【図８】
2005296393.tif 000010
【図９】
2005296393.tif 000011